(57)【要約】    【構成】  雨水貯留システム１０は、渦流式分水装置１２と雨水貯留槽１４とを備え、渦流式分水装置１２によって雨水に混入している異物を分離して、異物を除いた処理水を雨水貯留槽１４に供給するものである。渦流式分水装置１２は、分水槽２２を含み、分水槽２２には、分水された処理水を外部に流出する処理水流出部３６が形成される。また、分水槽２２の上部には、当該分水槽２２内の空気を外部に排出する抜気部４２が設けられ、抜気部４２の上方開口４４における高さのレベルＬ２は、処理水流出部３６における高さのレベルＬ１よりも高位に設定される。    【効果】  雨水貯留槽の維持管理の負担を軽減することができる。【選択図】図１
2009293294.tif 000002
【特許請求の範囲】
【請求項１】
雨水貯留槽と、雨水に混入している異物を除いた処理水を前記雨水貯留槽に供給する渦流式分水装置とを備える雨水貯留システムであって、
前記渦流式分水装置は、
前記雨水に渦流を生じさせることによって異物を分離し、前記処理水を分水する分水槽、
前記分水槽に形成され、その開口が第１レベルの高さにあって、かつ当該分水槽内の処理水を外部に流出する処理水流出部、および
前記分水槽の上部に形成され、その開口が第２レベルの高さにあって、かつ前記分水槽内の空気を外部に排出する抜気部を含み、
前記第２レベルは、前記第１レベルよりも高位に設定される、雨水貯留システム。
【請求項２】
その開口が第３レベルの高さにあって、かつ前記処理水をオーバーフローするためのオーバーフロー管をさらに備え、
前記第２レベルは、前記第３レベルよりも高位に設定され、
前記第３レベルは、第４レベルの高さにある前記雨水貯留槽の上限水位を基準として設定される、請求項１記載の雨水貯留システム。
【請求項３】
前記第３レベルは、前記第４レベルよりも高位に設定される、請求項２記載の雨水貯留システム。
【発明の詳細な説明】
【技術分野】
【０００１】
この発明は雨水貯留システムに関し、特にたとえば、雨水貯留槽と、雨水に混入している異物を除いた処理水を雨水貯留槽に供給する渦流式分水装置とを備える、雨水貯留システムに関する。
【背景技術】
【０００２】
近年、都市化が進んだこと等による環境の変化に伴い、局地的な大雨や台風時の大雨による浸水被害が増加している。この被害を防止するための対策として、雨水貯留槽を地下に埋設し、雨水を一時的に貯留した後、雨水管や河川に放流する、或いはそのまま地中に緩やかに浸透させる対策が実施されている。しかし、雨水貯留槽内に集められる雨水には、落ち葉や土砂などの異物が含まれるので、雨水貯留槽内には、異物が溜まり易い。雨水貯留槽内に異物が溜まると、その機能を適切に維持できない恐れがあるので、定期的な点検および清掃を実施して、雨水貯留槽内に堆積した異物を適宜除去する必要がある。
【０００３】
たとえば、特許文献１に開示される雨水の地下貯留浸透タンク（雨水貯留槽）では、貯留タンクの下に汚泥ピットを設けている。そして、貯留タンク内に流入した夾雑物（異物）を、汚泥ピット内に沈殿させ、吸引ホースを用いて、堆積した沈殿物を吸い取って除去している。しかし、吸引ホースを用いて沈殿物を除去するという作業は、手間がかかる上、吸引ホース等の特別な機器を別途用意しなければならない。さらに、貯留タンクの内部構造は複雑であり、流入する異物も、雨水中を浮遊する密度（比重）の小さい浮遊異物から、貯留タンク内に留まって移動しない密度の大きい沈殿異物まであるので、貯留タンク内に流入した全ての異物を汚泥ピットに集めることは難しい。このため、特許文献１の技術では、汚泥ピット内の沈殿物の除去とは別に、何らかの手段を用いて貯留タンク内を清掃する必要が生じると思われる。
【０００４】
雨水貯留槽内に異物を溜めないための対策として、雨水貯留槽の上流側で雨水を事前に処理し、雨水貯留槽内には、異物を除去した雨水（処理水）を流入させることが考えられる。たとえば、雨水貯留槽内に雨水を流入させる雨水流入管に、沈砂槽を設けることが一般的に行われている。この場合、密度の大きい沈殿異物は、沈砂槽に沈殿させることにより除去し、密度の小さい浮遊異物は、網状のフィルタを利用して除去する。しかし、この場合でも、沈砂槽に堆積した異物を、吸引ホース等によって定期的に除去しなければならない。また、フィルタは、目詰まりを起こし易いので、定期的な清掃が必要となる。
【０００５】
また、雨水貯留槽の上流側に渦流式分水装置を設け、異物を除去した処理水を雨水貯留槽に供給することも考えられる。渦流式分水装置は、流入する水に渦流を生じさせることによって、水に含まれる異物を分離するものである。
【０００６】
たとえば、特許文献２に開示される水処理装置（渦流式分水装置）は、下水が流入するマンホールと、下水を処理水と汚水とに分離する分離装置と、汚水を排出するボルテックバルブとを備えている。そして、特許文献２の技術では、処理水は、流出管から河川等へ排出され、汚水は、ボルテックバルブを介して出口管部からそのまま下水処理場に送られる。
【０００７】
また、たとえば、特許文献３に開示される中央流入雨水用の渦流型の分離装置（渦流式分水装置）は、分離容器と、分離容器内に設けられる円筒状の導流板と、導流板に接続されて雨水を流入させる流入管と、沈殿物の再浮上を防ぐ孔付き斜板と、分離容器に接続されて雨水を流出させる流出管とを備えている。そして、特許文献３の技術では、導流板の内部での下向きの渦流と、導流板の外部での上向きの渦流とによって、雨水から浮遊物や固形物（異物）を分離し、それらが分離された雨水（処理水）を流出管から流出させる。また、分離容器内に残る異物は、分離容器の上部に設けられる分離物除去孔から除去される。
【特許文献１】特開２００６−３２２１４９号公報  [Ｅ０３Ｆ  １／００]
【特許文献２】特開２００４００２４１号公報  [Ｃ０２Ｆ  １／４０]
【特許文献３】特開２００７−３２２６７号公報  [Ｅ０３Ｆ  ５／１４]
【発明の開示】
【発明が解決しようとする課題】
【０００８】
上述のように、特許文献１の技術や、雨水貯留槽の上流に沈砂槽を設ける技術では、吸引ホース等を用いて異物を除去する作業などが必要となり、維持管理に手間がかかる。
【０００９】
特許文献２の技術では、大量の降雨時などに分離装置内の水位が上昇すると、マンホールに流入した下水に混入している異物が、当該マンホールから堰部を越流する水とともに、直接下水流出管に排出される。このため、仮に、特許文献２の渦流式分水装置を雨水貯留槽の上流側に設けたとしても、雨水貯留槽内に下水に混入している異物が流れ込んでしまい、異物を除去した雨水（処理水）のみを雨水貯留槽に供給することができない。
【００１０】
また、特許文献３の渦流式分水装置を雨水貯留槽の上流側に設けたとしても、たとえば分離容器から処理水を供給している雨水貯留槽が満水状態になると、分離容器内の雨水の水位が上昇し、当該分離容器内の雨水が分離物除去孔から外部に溢れ出してしまう。このため、雨水から分離されて水面に浮かんでいる浮遊物やオイルが、分離物除去孔から溢れ出す雨水とともに外部に流出し、分離容器の外部で散乱してしまう恐れがある。したがって、特許文献３の技術では、雨水貯留槽が満水状態になると、雨水から分離された異物が分離容器の外部で散乱し、その異物を除去する作業などが必要となる。
【００１１】
それゆえに、この発明の主たる目的は、新規な、雨水貯留システムを提供することである。
【００１２】
この発明の他の目的は、雨水貯留槽の維持管理の負担を軽減できる、雨水貯留システムを提供することである。
【００１３】
この発明のさらに他の目的は、たとえ雨水貯留槽が満水状態になっても、異物を除去した処理水のみを雨水貯留槽に供給することができるとともに、雨水から分離された異物が分水槽の外部に流出して散乱するなどの不具合が生じることもない、雨水貯留システムを提供することである。
【課題を解決するための手段】
【００１４】
この発明は、上記の課題を解決するために、以下の構成を採用した。なお、括弧内の参照符号および補足説明などは、本発明の理解を助けるために後述する実施の形態との対応関係を示したものであって、この発明を何ら限定するものではない。
【００１５】
第１の発明は、雨水貯留槽と、雨水に混入している異物を除いた処理水を雨水貯留槽に供給する渦流式分水装置とを備える雨水貯留システムであって、渦流式分水装置は、雨水に渦流を生じさせることによって異物を分離し、処理水を分水する分水槽、分水槽に形成され、その開口が第１レベルの高さにあって、かつ当該分水槽内の処理水を外部に流出する処理水流出部、および分水槽の上部に形成され、その開口が第２レベルの高さにあって、かつ分水槽内の空気を外部に排出する抜気部を含み、第２レベルは、第１レベルよりも高位に設定される、雨水貯留システムである。
【００１６】
第１の発明では、雨水貯留システム（１０）は、渦流式分水装置（１２）と雨水貯留槽（１４）とを備え、渦流式分水装置によって雨水に混入している異物を分離して、異物を除いた処理水を雨水貯留槽に供給するものである。渦流式分水装置は、雨水から異物を分離し、その処理水を分水する分水槽（２２）を含む。たとえば、分水槽は、有底円筒状に形成され、分水槽の接線方向には、雨水流入管（１６）が接続され、分水槽の底部には、第１バルブ（２４）を介して異物排出管（２０）が接続される。分水槽には、分水された処理水を外部に流出する処理水流出部（３６）が形成される。また、分水槽の上部には、当該分水槽内の空気を外部に排出する抜気部（４２）が設けられ、抜気部の上方開口（４４）における高さのレベル（Ｌ２）は、処理水流出部の開口における高さのレベル（Ｌ１）よりも高位に設定される。このような雨水貯留システムでは、雨水流入管から分水槽へ流入した雨水が、渦流を形成しながら分水槽の内部を螺旋状に流動する。そして、この渦流によって、雨水に混入している異物が分離され、異物が除去された処理水が雨水貯留槽に供給される。
【００１７】
第１の発明によれば、渦流式分水装置によって異物を除去した処理水のみを雨水貯留槽に供給することができる。このため、吸引ホース等を用いて雨水貯留槽内の異物を除去する作業が不要である。したがって、雨水貯留槽の維持管理の負担を軽減することができる。
【００１８】
第２の発明は、第１の発明に従属し、その開口が第３レベルの高さにあって、かつ処理水をオーバーフローするためのオーバーフロー管をさらに備え、第２レベルは、第３レベルよりも高位に設定され、第３レベルは、第４レベルの高さにある雨水貯留槽の上限水位を基準として設定される。
【００１９】
第２の発明では、雨水貯留システム（１０）は、たとえば雨水貯留槽が満水状態となったときに処理水をオーバーフローするためのオーバーフロー管（７６）をさらに備える。オーバーフロー管は、たとえば、異物排出管から分岐して垂直上方向に向けて開口しており、その上方開口（７８）における高さのレベル（Ｌ３）は、雨水貯留槽の上限水位のレベル（Ｌ４）を基準として、抜気部（４２）の上方開口（４４）における高さのレベル（Ｌ２）よりも低位に設定される。
【００２０】
第２の発明によれば、処理水が抜気部から分水槽の外部に流出することがなく、分水槽によって分離された異物が抜気部から流出することもない。したがって、たとえ雨水貯留槽が満水状態となっても、異物を除去した処理水のみを雨水貯留槽に供給することができるとともに、雨水から分離された異物が分水槽の外部に流出して散乱するなどの不具合が生じることもない。
【００２１】
第３の発明は、第２の発明に従属し、第３レベルは、第４レベルよりも高位に設定される。
【００２２】
第３の発明では、オーバーフロー管（７６）の上方開口（７８）のレベル（Ｌ３）は、雨水貯留槽（１４）の上限水位のレベル（Ｌ４）よりも高位に設定される。
【００２３】
第３の発明によれば、雨水貯留槽内に処理水を貯留することのできない空き空間（デッドスペース）を生じさせることなく、当該雨水貯留槽の貯留空間を有効に活用することができる。
【発明の効果】
【００２４】
この発明によれば、渦流式分水装置によって異物を除去された処理水のみが雨水貯留槽に供給されるため、雨水貯留槽の維持管理の負担を軽減することができる。
【００２５】
また、この発明によれば、抜気部の開口におけるレベルがオーバーフロー管の開口におけるレベルよりも高位に設定されるため、たとえ雨水貯留槽が満水状態になっても、異物を除去した処理水のみを雨水貯留槽に供給することができるとともに、雨水から分離された異物が分水槽の外部に流出して散乱するなどの不具合が生じることもない。
【００２６】
この発明の上述の目的，その他の目的，特徴および利点は、図面を参照して行う以下の実施例の詳細な説明から一層明らかとなろう。
【発明を実施するための最良の形態】
【００２７】
図１を参照して、この発明の一実施例である雨水貯留システム１０は、渦流式分水装置（以下、単に「分水装置」という。）１２と雨水貯留槽１４とを含み、分水装置１２によって雨水に混入している異物を分離して、異物を除いた雨水（処理水）を雨水貯留槽１４に供給するものである。
【００２８】
図１に示すように、分水装置１２は、雨水貯留槽１４の近傍の地中に埋設され、この分水装置１２には、道路脇の側溝や雨水桝などから集めた雨水が流入する雨水流入管（以下、単に「流入管」という。）１６と、その雨水から異物を除いた処理水を雨水貯留槽１４に供給する雨水流出管（以下、単に「流出管」という。）１８とが接続される。すなわち、雨水貯留槽１４と流入管１６とは、分水装置１２を介して接続されている。また、分水装置１２には、雨水から分離した異物を水と共に雨水本管や合流式下水道管などに放流する異物排出管（以下、単に「排出管」という。）２０が接続される。
【００２９】
なお、分水装置１２は、雨水貯留槽１４を新設する際に設けてもよいし、既設の雨水貯留槽１４に追加で設けてもよい。
【００３０】
先ず、雨水貯留槽１４について簡単に説明する。雨水貯留槽１４は、浸水被害の発生の防止を主たる目的として地下に埋設されるものであり、たとえば、プラスチック製の要素部材を組み立て、その周囲を遮水シート或いは透水シートで覆うことにより形成される。このような雨水貯留槽１４は、側溝や雨水桝などから雨水を集め、その雨水を一時的に貯留した後、雨水本管などに放流したり、そのまま地中に緩やかに浸透させたりする。これにより、集中豪雨の際などに、河川や雨水本管などに対して雨水の流入が集中することを抑制し、浸水被害の発生を防止する。なお、貯留した雨水は、植物への散水用水や災害時の非常用水などに有効利用することもできる。
【００３１】
具体的には、雨水貯留槽１４としては、たとえば、本願出願人等によって製造販売されている各種の雨水貯留槽（参照；http://www.kuＨotＨ-ci.co.jp/rＨin/ind_Ｈ.html <http://www.kubota-ci.co.jp/rain/ind_b.html>）を採用できる。また、先に挙げた特許文献１に開示される雨水貯留槽など、材質（合成樹脂製やコンクリート製など）や形状を問わず、従来公知の様々な雨水貯留槽に分水装置１２を接続するようにもできる。
【００３２】
なお、雨水貯留槽１４は、機能の面から分類して、一時貯留の機能を主として有する「貯留型」と、浸透の機能を主として有する「浸透型」と、一時貯留および浸透の双方の機能を有する「貯留浸透型」との３つのタイプに分類することができるが、この発明でいう雨水貯留槽１４とは、これら３つのタイプの全てを含む概念である。
【００３３】
以下には、一例として、「浸透型」の雨水貯留槽１４に接続する分水装置１２について説明する。
【００３４】
図１および図２に示すように、分水装置１２は、雨水から異物を分離する分水槽２２、分水槽２２に設けられる第１バルブ２４、およびこれらを収容する外槽２６を備える。
【００３５】
外槽２６は、合成樹脂、コンクリート或いは金属などによって直方体状や円筒状などに形成され、詳細は後述するが、分水槽２２から溢れ出した処理水を受水する部位である。外槽２６の上部には、点検孔２８が形成され、点検孔２８は地表に臨ませられる。点検孔２８は、通常時は蓋（図示せず）によって閉じられているが、蓋を外すことによって、地表からの外槽２６内の点検が可能となり、場合によっては外槽２６内への人の出入りを可能にする。
【００３６】
外槽２６の側面には、雨水貯留槽１４と接続される流出管１８が取り付けられており、この流出管１８から外槽２６内の処理水が雨水貯留槽１４に供給される。流出管１８の内径は、雨水の想定流入量に応じて適宜設定され、たとえば２００ｍｍである。
【００３７】
図２および図３に示すように、分水槽２２は、塩化ビニルなどの合成樹脂によって形成され、有底円筒状の槽本体３０を含む。槽本体３０の大きさは、雨水貯留槽１４の大きさや、分水槽２２に流入する雨水の想定流入量などによって適宜設定されるが、この実施例では、たとえば、分水槽２２の外径は６３０ｍｍであり、その長さは１０００ｍｍである。
【００３８】
分水槽２２は、垂直上方向に向けて開口しており、その上方開口３２には、天板３４が設けられる。天板３４の中央部は、処理水を分水槽２２の外部に流出するための処理水流出部３６として開口しており、その開口縁には、下方に延びる円筒状の外筒部３８が形成される。
【００３９】
ただし、処理水流出部３６には，詳細は後述する抜気部４２（浮遊異物収集部４０）が設けられるため、この実施例では、処理水は、処理水流出部３６における外筒部３８と内筒部４０ａとの隙間４６に該当する部分から、分水槽２２の外部に流出することに留意されたい。
【００４０】
分水槽２２の中央上部には、ラッパ状に形成される浮遊異物収集部４０が設けられる。具体的には、浮遊異物収集部４０は、外筒部３８に挿通される内筒部４０ａと、その内筒部４０の下端から円錐状に拡径する円錐部４０ｂとを有する。浮遊異物収集部４０は、分水槽内の空気を外部に排出するための抜気部４２としても機能し、抜気部４２（浮遊異物収集部４０）の上方開口４４における高さのレベルＬ２は、処理水流出部３６の開口における高さのレベルＬ１よりも高位に設定される（図１参照）。
【００４１】
ただし、この実施例における「高さのレベル」とは、雨水貯留システム１０を構成する各要素の相対的な高さ位置を参照符号を用いて表記したものである。また「高位に設定される」ないし「低位に設定される」とは、高さ位置が相対的に高い位置ないし低い位置にある状態のみならず、等しい位置にある状態を含む概念である。
【００４２】
内筒部４０ａの外径は、天板３４の外筒部３８の内径よりも小さく設定され、内筒部４０ａと外筒部３８との間には、隙間４６が形成される。内筒部４０ａの外側面には、係止部４８が形成され、この係止部４８と天板３４とを接合することにより、天板３４に浮遊異物収集部４２が固定的に取り付けられる。この実施例では、係止部４８は、内筒部４０の外側面から突出する三角板状に形成されるが、係止部４８の形状は特に問わない。
【００４３】
分水槽２２の内部には、傾斜仕切板５０が設けられる。傾斜仕切板５０は、その外縁部から中央部に向かう下り傾斜を有するすり鉢状に形成され、その中央部に形成される開口５２、および開口５２の周囲に形成される複数の小孔５４を有している。開口５２の径は、たとえば１００ｍｍであり、小孔５４の径は、たとえば２０ｍｍである。
【００４４】
さらに、分水槽２２には、流入管１６が接続される。流入管１６は、外槽２６を貫通して分水槽２２まで延び、分水槽２２（槽本体３０）に対して接線方向に接続される。流入管１６は、雨水が流入しない、または雨水の流速が低下するのを防ぐために、少なくとも分水槽２２の底面におけるレベルＬ５よりも高位の位置に接続され、たとえば浮遊異物収集部４０と傾斜仕切板５０との間のレベルに接続される（図１参照）。流入管１６の内径は、雨水の想定流入量に応じて適宜設定され、たとえば１５０ｍｍである。
【００４５】
分水槽２２の下部には、複数、この実施例では３つの脚部５６が設けられる。脚部５６は、たとえば塩化ビニルなどの合成樹脂によって円筒状に形成され、分水槽２２の底面におけるレベルＬ５を排出管２０の管底におけるレベルＬ６よりも高位に設定できるように、槽本体３０を支持している（図１参照）。これにより、分水槽２２内に残った水や異物は、排出管２０から速やか（滑らか）に排出されることになる。
【００４６】
また、分水槽２２の底部には、第１バルブ２４が設けられ、この第１バルブ２４を介して分水槽２２に排出管２０が接続される。第１バルブ２４は、図４に示すように、バルブ本体５８と当該バルブ本体５８に挿し込む栓部材６０とを備えており、塩化ビニル等の合成樹脂によって形成される。バルブ本体５８は、有底円筒状に形成され、その上端開口は地表に臨ませられる。バルブ本体５８の上端開口は、通常時は蓋（図示せず）によって閉じられているが、蓋を外すことによって、後述する栓部材６０の着脱が可能になり、地表からのバルブ本体５８内の点検が可能になる。バルブ本体５８の内径は、分水槽２２の大きさに応じて適宜設定され、たとえば２１０ｍｍである。
【００４７】
バルブ本体５８の底部には、排出管２０と接続される管接続部６２が形成され、それより少し上方に分水槽２２と接続される槽接続部６４が形成される。また、バルブ本体５８の内部には、栓受部６６が形成される。栓受部６６は、漏斗状に形成され、バルブ本体５８の内側面から斜め下方向に突出する傾斜部６８と、当該傾斜部６８の下端から延びる直管部７０とを含む。直管部７０の内径は、たとえば１３０ｍｍである。
【００４８】
なお、槽接続部６４側の栓受部６６の傾斜部６８上端におけるレベルＬ７は、槽接続部６４の底面におけるレベルＬ８よりも下位に設定されている。また、栓受部６６の直管部７０の下端におけるレベルＬ９は、管接続部６２の底面におけるレベルＬ１０よりも高位に設定されている。これにより、槽接続部６４からバルブ本体５８内に流入した水や異物は、バルブ本体５８内でその流れが阻害されること無く、管接続部６２から速やか（滑らか）に排出されることになる。
【００４９】
また、図４では、バルブ本体５８の底面が水平方向に形成される第１バルブ２４を例示してあるが、バルブ本体５８の底面には、管接続部６２に向かう下り傾斜やインバート（導流用の溝）を形成してもよく、これにより、水や異物をより滑らかに流すことができる。
【００５０】
栓部材６０は、バルブ本体５８内で水の流れを堰き止める際に使用される部材であり、バルブ本体５８に対して着脱可能に取り付けられる。栓部材６０は、円筒状に形成され、バルブ本体５８の栓受部６６から地表面近くまで延びる長さを有している。また、栓部材６０の下部には、縮径部７２が形成される。縮径部７２の外径は、たとえば１３０ｍｍであり、上述した直管部７０の内径に対応させて設定される。また、縮径部７２の外側面には、周方向に延びる環状の溝が形成され、この溝には、シール部材７４が装着される。
【００５１】
管接続部６２には、排出管２０が接続される。排出管２０は、外槽２６を貫通して雨水本管や合流式下水道管などに接続され、その内径は、雨水の想定流入量に応じて適宜設定され、たとえば１６０ｍｍである。
【００５２】
図１に戻って、排出管２０には、外槽２６内において、オーバーフロー管７６が設けられる。オーバーフロー管７６は、排出管２０から分岐して垂直上方向に向けて開口しており、その上方開口７８におけるレベルＬ３は、雨水貯留槽１４における上限水位のレベルＬ４を基準として、抜気部４２の上方開口４４におけるレベルＬ２よりも低位に設定される。
【００５３】
ここで、雨水貯留槽１４における上限水位のレベルＬ４とは、当該雨水貯留槽１４が満水状態となる水位のレベルを意味しており、たとえば雨水貯留槽１４の上面のレベルである。この実施例では、オーバーフロー管７６の上方開口７８におけるレベルＬ３が雨水貯留槽１４における上限水位のレベルＬ４よりも高位に設定されており、オーバーフロー管７６は、雨水貯留槽１４内の水位がレベルＬ４を越えたときに、外槽２６内の処理水をオーバーフローして排出管２０に導流する。
【００５４】
このような雨水貯留システム１０では、道路脇の側溝や雨水桝などから流入管１６へと流れ込んだ雨水が、この流入管１６から分水槽２２へ接線方向に流入する。すると、分水槽２２へ流入した雨水は、渦流を形成しながら分水槽２２の内部を螺旋状に流動する。この結果、渦流によって雨水に混入している異物が分離されて、この異物が分水槽２２の中心付近に集められる。具体的には、砂礫などの水よりも比重の大きい沈殿異物は、傾斜仕切板５０の開口５２を通って槽本体３０の底部に沈殿し、落ち葉などの水よりも比重の小さい浮遊異物は、浮かび上がって浮遊異物収集部４０の内部に滞留する。また、分水槽２２の中心付近に集められなかった浮遊異物は、天板３４の下方かつ外筒部３８の外側に滞留する。そして、分水槽２２内の水位が上昇し、異物が除かれた雨水（処理水）が、処理水流出部３６、具体的には、外筒部３８と内筒部４０との隙間４６を経由して処理水流出部３６から分水槽２２の外部に溢れ出す。分水槽２２から溢れ出した処理水は、外槽２６に受水されて、当該外槽２６から流出管１８に流れ込み、雨水貯留槽１４に供給される。そして、雨水貯留槽１４が満水状態になった場合には、オーバーフロー管７６が外槽２６内の処理水をオーバーフローして排出管２０に導流する。その後、流入管１６から分水槽２２への雨水の流入が終了すると、当該分水槽２２の内部には、雨水から分離された異物と分水槽２２の外部に溢れ出さなかった雨水（残留水）とが残る。そして、栓部材６０をバルブ本体５８から取り外して第１バルブ２４を開くと、分水槽２２内の残留水とともに、雨水から分離された異物が一気に排出管２０に排出されて、雨水本管や合流式下水道管などに放流される。
【００５５】
このように、この実施例によれば、分水装置１２によって異物が除去された処理水のみを雨水貯留槽１４に供給することができる。このため、吸引ホース等を用いて雨水貯留槽１４内の異物を除去する作業が不要である。したがって、雨水貯留槽１４の維持管理の負担を軽減することができる。
【００５６】
また、この実施例では、分水槽２２の上部に抜気部４２が設けられ、この抜気部４２の上方開口４４のレベルＬ２は、オーバーフロー管７６の上方開口７８のレベルＬ３よりも高位に設定される。このため、処理水が抜気部から分水槽の外部に流出することがなく、たとえば浮遊異物収集部４０内に滞留している異物が抜気部４２の上方開口４４から外部に流出することがない。したがって、たとえ雨水貯留槽１４が満水状態となっても、異物を除去した処理水のみを雨水貯留槽１４に供給することができるとともに、雨水から分離された異物が分水槽２２の外部に流出して散乱するなどの不具合が生じることもない。
【００５７】
さらに、この実施例では、オーバーフロー管７６の上方開口７８のレベルＬ３は、雨水貯留槽１４における上限水位のレベルＬ４よりも高位に設定される。このため、雨水貯留槽１４内に処理水を貯留することのできない空き空間（デッドスペース）を生じさせることなく、当該雨水貯留槽１４の貯留空間を有効に活用することができる。
【００５８】
なお、上述の実施例では、処理水流出部３６、抜気部４２の上方開口４４、およびオーバーフロー管７６の上方開口７８は、垂直上方向に向けて開口しており、その開口面の高さによって各自の「高さのレベル」を判断したが、これに限定される必要はない。この実施例における「上方開口」とは、少なくとも下方向および斜め下方向を除いた方向を意味しており、そして、この実施例における「高さのレベル」は、各部位における開口の配置、向き、形状等によって判断される位置が変わり、本発明の概念を逸脱しないよう、開口の配置、向き、形状等に応じて、その都度判断される。
【００５９】
たとえば、図５に示すように、オーバーフロー管７６の上方開口７８を水平方向に向けて開口させる場合には、オーバーフロー管７６の上方開口７８における高さのレベルＬ３は、当該オーバーフロー管７６の上方開口７８の最下部における高さのレベル、すなわちオーバーフロー管７６の管底におけるレベルで判断する。
【００６０】
また、たとえば、図示は省略するが、処理水流出部３６を水平方向や斜め上方向に向けて開口させる場合には、当該処理水流出部３６の開口における高さのレベルＬ１は、当該処理水流出部３６の開口の最下部における高さのレベルで判断し、抜気部４２の上方開口４４を水平方向や斜め上方向に向けて開口させる場合には、当該抜気部４２の上方開口４４における高さのレベルＬ２は、当該抜気部４２の上方開口４４の最下部における高さのレベルＬ２で判断する。
【００６１】
さらにまた、上述の実施例では、合成樹脂製の分水槽２２を用いたが、これに限定される必要はない。たとえば、レジンコンクリートやプレキャストコンクリートなどによって分水槽２２を形成してもよい。また、たとえば、ステンレスなどの金属によって分水槽２２を形成してもよい。
【００６２】
さらに、上述の実施例では、外槽２６と雨水貯留槽１４とが流出管１８によって接続され、この流出管１８を介して外槽２６内の処理水が雨水貯留槽１４に供給されたが、これに限定される必要はない。たとえば、図示は省略するが、外槽２６と雨水貯留槽１４とを隣接させることによって、外槽２６内の処理水を直接雨水貯留槽１４に供給することもできる。
【００６３】
また、上述の実施例では、浮遊異物収集部４０は、内筒部４０ａと円錐部４０ｂとによってラッパ状に形成されたが、これに限定される必要はない。たとえば、図示は省略するが、内筒部４０ａのみで円筒状の浮遊異物収集部４０を形成してもよい。また、たとえば、図６に示すように、浮遊異物収集部４０の上端を封止し、その上端面に別途、筒形状を有する抜気部４２を設けてもよい。
【００６４】
さらにまた、図７に示すように、分水槽２２の底面に、第１バルブ２４の槽接続部６４に向かう傾斜を形成してもよい。この場合には、雨水から分離された異物をより速やか（滑らか）に排出管２０に排出することができることができる。
【００６５】
また、上述の実施例では、分水槽２２の底部には、第１バルブ２４の槽接続部６４が接続されたが、これに限定される必要はない。図８に示すように、分水槽２２の底面に、槽本体３０の中心向かう傾斜を形成し、この中心から第１バルブ２４の槽接続部６４へと延びる流路８０を設けることもできる。この場合にも、雨水から分離された異物をより速やか（滑らか）に排出管２０に排出することができる。
【００６６】
図９および図１０に示すこの発明の他の一実施例である雨水貯留システム１０は、誘導部材８２をさらに備える。以下、図１の実施例における雨水貯留システム１０と同様である部分に関しては、詳細な説明は省略する。
【００６７】
図９および図１０に示すように、雨水貯留システム１０は、雨水に混入している浮遊異物を浮遊異物収集部４０に誘導するための誘導部材８２をさらに備える。
【００６８】
誘導部材８２は、塩化ビニルなどの合成樹脂からなり、槽本体１８の内壁面から斜め上方向、具体的には、浮遊異物収集部４０の下端部に向かう方向に突出する板状体であり、槽本体１８の内壁面に沿った略Ｃ字状に形成される。
【００６９】
誘導部材８２の周方向における一方側端８２ａは、上面視で分水槽２２と流入管１６との接続箇所の上方を覆っており、さらにその一方側端８２ａから他方側端８２ｂに向かうにしたがって、徐々に高さのレベルが低位になるように設けられる。
【００７０】
この実施例では、流入管１６から分水槽２２に流入した雨水に混入している浮遊異物は、当該分水槽２２に流入すると同時に浮き上がって誘導部材８２にぶつかる。そして、誘導部材８２に沿って分水槽２２内を流動し、その後、渦流によって分水槽２２の中心付近に集められて、浮遊異物収集部４０に到達する。
【００７１】
このように、この実施例によれば、雨水に混入している浮遊異物をより確実に分離することができる。
【００７２】
図１１に示すこの発明の他の一実施例である雨水貯留システム１０は、サイフォン管８４をさらに備える。以下、図１の実施例における雨水貯留システム１０と同様である部分に関しては、詳細な説明は省略する。
【００７３】
図１１に示すように、雨水貯留システム１０は、第１バルブ２４の管接続部６２と管接続部６４とを連通するサイフォン管８４をさらに備える。
【００７４】
サイフォン管８４は、塩化ビニルなどの合成樹脂によって曲管状に形成され、その内径は、たとえば３０ｍｍである。具体的には、サイフォン管８４は、管接続部６４から斜め上方向に立ち上がり、その最上部で水平方向に屈曲して少し延び、そして管接続部６２に向けて垂直下方向に屈曲する。
【００７５】
サイフォン管８４の最上部における管底のレベルＬ１１は、分水槽２２に流入した雨水の全てがサイフォン管８４に流れてしまわないように、分水槽２２の上方開口３２のレベルＬ１と同位に設定されている。また、サイフォン管８４の最上部には、サイフォン管８４とバルブ本体５８とを連通する吸気管８６が設けられる。たとえば、吸気管８６の最下部における管頂のレベルＬ１２は、分水槽２２の上方開口３２のレベルＬ１とほぼ同位に設定されているため、分水槽２２内の雨水が全て流出してしまうことはない。
【００７６】
この実施例では、分水槽２２内の水位がサイフォン管８４の最上部における管底のレベルＬ１１まで上昇すると、いわゆるサイフォン現象によって、管接続部６４から分水槽２２内の雨水がサイフォン管８４に吸引され、管接続部６２から排出管２０に排出される。その後、分水槽２２への雨水の流入が終了すると、サイフォン管８４によって吸引されている分水槽２２内の水位とともに、バルブ本体５８内の水位が徐々に低下する。そして、バルブ本体５８内の水位が吸気管８６の最下部における管頂のレベルＬ１２まで降下すると、吸気管８６を介してバルブ本体５８からサイフォン管８４に空気が流入して、サイフォン現象が破られる。
【００７７】
このように、この実施例によれば、サイフォン管８４が分水槽２２内の雨水を吸引することによって、当該分水槽２２内を流動する雨水の旋回が補助されて、分水槽２２内に適切な渦流が形成される。
【００７８】
ところで、上述の実施例では、分水装置１２を「浸透型」の雨水貯留槽１４に接続したが、これに限定される必要はなく、分水装置１２を「貯留型」の雨水貯留槽１４に接続してもよい。ただし、この場合には、雨水貯留槽１４内に貯留されている雨水（貯留水）を地中に浸透させることができないため、この貯留水を雨水貯留槽１４の外部に排出する手段が必要である。
【００７９】
そこで、図１２に示すこの発明の他の一実施例である雨水貯留システム１０は、第２バルブ８８をさらに備える。以下、図１の実施例における分雨水貯留システム１０と同様である部分に関しては、詳細な説明は省略する。
【００８０】
図１２に示すように、分水装置１２は、分水槽２２の底部に設けられる第２バルブ８８をさらに備える。
【００８１】
第２バルブ８８は、第１バルブ２４と略同形状を有しており、バルブ本体５８と当該バルブ本体５８に挿し込む栓部材６０とを備えている。ただし、第１バルブ２４では、バルブ本体５８の底部に管接続部６２が形成され、それより少し上方に管接続部６４が形成されたが、第２バルブ８８では、バルブ本体５８の底部に流出管１８に向けて外槽２６内で開口する流入部９０が形成され、それより少し上方に分水槽２２と接続される流出部９２が形成される。なお、それ以外の第１バルブ２４と第２バルブ８８との共通する部分については、その説明を省略する。
【００８２】
このような分水装置１２では、先ず、第１バルブ２４を開くと、分水槽２２内の残留水とともに、雨水から分離された異物が排出される。続いて、第２バルブ８８を開くと、雨水貯留槽１４内の貯留水が流入部９０に流れ込み、流出部９２から分水槽２２内に流入する。そして、分水槽２２内に残留している異物とともに管接続部６４に流れ込み、管接続部６２から排出管２０に排出される。この場合には、流出管１８の管底の高さのレベルＬ１３を排出管２０の管底の高さのレベルＬ６よりも高位に設定すると、可及的多くの貯留水を排出管２０に排出することができ、好適である。
【００８３】
このように、この実施例によれば、雨水貯留槽１４内の貯留水を任意のタイミングで外部に排出することができる。さらに、雨水貯留槽１４内の貯留水が分水槽２２を通って排出管２０に排出されるため、分水槽２２内に残留している異物を十分な量の水によって確実に排出管２０に掃流することができる。
【００８４】
なお、第２バルブ８８の流出部９２に逆止弁９４を設けることもできる。この場合には、流入部９０から第２バルブ８８に流れ込んだ雨水は、流出部９２から分水槽２２内に流入するが、分水槽２２内の雨水が流出部９２から逆流しようとすると、逆止弁９４が流出部９２を塞ぐ。
【００８５】
さらに、第２バルブ８８の流入部９０に、放流量が急増しないように、流量制限オリフィスを設けることもできる。
【００８６】
また、図１３―図１５に示すように、雨水貯留槽１４内の貯留水を外部に排出する手段として、当該雨水貯留槽１４に流出施設９６を設けることもできる。
【００８７】
図１３に示すように、流出施設９６は、マンホール９８を含み、雨水貯留槽１４の近傍の地中に埋設される。マンホール９８は、たとえば有底円筒状に形成され、その下部には、雨水貯留槽１４からの雨水をマンホール９８に流出させる接続管１００が取り付けられる。また、それよりさらに下部には、マンホール９８内の雨水を雨水本管や合流式下水道管などに放流する外部流出管１０２が取り付けられ、外部流出管１０２は、放流量が急増しないようにするための流量制限オリフィスを有している。
【００８８】
この実施例によれば、雨水貯留槽１４内の貯留水を接続管１００からマンホール９８に流れ込ませて、外部流出管１０２から雨水本管や合流式下水道管などに放流することができる。
【００８９】
さらに、この実施例によれば、たとえ雨水貯留槽１４の最下部におけるレベルＬ１４を流出管１８の管底におけるレベルＬ１３よりも低位に設定している場合（図１４参照）であっても、雨水貯留槽１４内の貯留水を全て外部に排出することができる。
【００９０】
さらにまた、この場合には、雨水貯留槽１４の貯留水を全て流出施設９６から外部に排出した場合であっても、分水槽２２内には残留水があるため、第１バルブ２４を開くことによって、分水槽２２の内部に残っている異物を除去することができる。
【００９１】
さらに、図１５に示すように、雨水貯留槽１４に設けた流出施設９６のマンホール９８の上部に、水平方向に向けて開口するオーバーフロー管７６を設けてもよい。
【００９２】
なお、上述の各実施例ではいずれも、分水槽２２内の残留水ないし雨水貯留浸透槽１００内の貯留水を用いて排出管２０に異物を掃流したが、これに限定される必要はない。
【００９３】
たとえば、図１６に示すように、雨水等を貯留するタンク１０４を地上に設けておき、当該タンク１１８に接続したホース１０６から分水槽２２内に水を供給することよって、排出管１０８に異物を掃流することもできる。
【００９４】
また、たとえば、図示は省略するが、分水装置１０に、別途、分水槽２２内に水を供給する水を貯留するためのタンクを設け、当該タンクから水を供給することによって分水槽２２の内部に残っている異物を掃流してもよい。
【００９５】
これらの場合には、異物を掃流するための水を分水槽２２内にためる必要がないので、第１バルブ２４を設けなくてもよい。
【００９６】
さらに、上述の各実施例ではいずれも、分水槽２２と当該分水槽２２に設けられるバルブ２４，８８とが、外槽２６に収容されたが、これに限定される必要はなく、分水槽２２およびバルブ２４，８８の各々を外槽２６の外に別々に埋設することもできる。
【００９７】
さらにまた、上述の各実施例ではいずれも、バルブ２４，８８には、バルブ本体５８の栓受部６６に対して、筒状に形成される栓部材６０を挿し込む構造が適用されたが、これに限定される必要はなく、分水槽２２内の雨水の流れを堰き止めるかつその雨水を一気に排出することができるのであれば、バルブ２４，８８に任意の構造を適用することができる。たとえば、図１７に示すバルブ２４，８８の変形実施例では、バルブ本体５８の内部に、ドーナツ板状に形成される栓受部６６が形成される。また、栓部材６０は、円板状に形成される円板体１０８を備え、当該円板体１０８の側面にはシール材６０が設けられる。また、円板体１０８の上面には、垂直上方向に延びる棒体１１０が形成されており、この棒体１１０を地上から上下させることによってバルブ２４，８８を開閉する。また、たとえば、図示は省略するが、バルブ２４，８８にバタフライバルブの構造を適用することもできる。
【００９８】
さらにまた、上述の各実施例ではいずれも、槽本体３０の上方開口３２に天板３４が設けられ、その天板３４の中央部に処理水流出部３６が形成され、さらにその処理水流出部３６内に浮遊異物収集部４０が設けられたが、これに限定される必要はない。
【００９９】
たとえば、図示は省略するが、槽本体３０の上方開口３２に天板３４を設けずに、当該上方開口３２に係止部４８を載置することによって、浮遊異物収集部４０を設けることもできる。
【０１００】
また、たとえば、図１８に示すように、槽本体３０の側壁に処理水流出部３６を形成し、当該槽本体３０の上方開口３２に設けられる天板３４に、浮遊異物収集部４０を設けずに、筒形状の抜気部４２を形成することもできる。この場合には、上述したように、処理水流出部３６の開口の最下部における高さのレベルを処理水流出部３６におけるレベルＬ１として判断する。なお、図１９に示すように、槽本体３０の側壁に形成した処理水流出部３６の開口にＵ字管１１２を設けてもよい。
【０１０１】
さらに、たとえば、図２０に示すように、底面に槽本体３０の中心向かう傾斜を形成して、この中心から第１バルブ２４の槽接続部６４へと延びる流路８０を設けた分水槽２２（図８参照）における、槽本体３０の側壁に処理水流出部３６を形成し、当該槽本体３０の上方開口３２に設けられる天板３４の中央を抜気部４２として開口させることもできる。
【０１０２】
なお、上述した径や高さ等の具体的数値は、いずれも単なる一例であり、必要に応じて適宜変更可能である。
【図面の簡単な説明】
【０１０３】
【図１】この発明の一実施例の雨水貯留システムを示す図解図である。
【図２】図１の分水槽を示す断面図である。
【図３】図１の分水槽を示す平面図である。
【図４】図１バルブを示す断面図である。
【図５】この発明の別の実施例の雨水貯留システムを示す図解図である。
【図６】この発明のさらに別の実施例の雨水貯留システムを示す図解図である。
【図７】この発明のさらに別の実施例の雨水貯留システムの分水槽を示す断面図である。
【図８】この発明のさらに別の実施例の雨水貯留システムの分水槽を示す断面図である。
【図９】この発明のさらに別の実施例の雨水貯留システムの分水槽を示す断面図である。
【図１０】図９の分水槽を示す平面図である。
【図１１】この発明のさらに別の実施例の雨水貯留システムのバルブを示す断面図である。
【図１２】この発明のさらに別の実施例の雨水貯留システムを示す断面図である。
【図１３】この発明のさらに別の実施例の雨水貯留システムを示す断面図である。
【図１４】この発明のさらに別の実施例の雨水貯留システムを示す断面図である。
【図１５】この発明のさらに別の実施例の雨水貯留システムを示す図解図である。
【図１６】この発明のさらに別の実施例の雨水貯留システムを示す図解図である。
【図１７】この発明のさらに別の実施例の雨水貯留システムのバルブを示す断面図である。
【図１８】この発明のさらに別の実施例の雨水貯留システムを示す図解図である。
【図１９】この発明のさらに別の実施例の雨水貯留システムを示す図解図である。
【図２０】この発明のさらに別の実施例の雨水貯留システムを示す図解図である。
【符号の説明】
【０１０４】
１０  …雨水貯留システム
１２  …渦流式分水装置
１４  …雨水貯留槽
１６  …雨水流入管
１８  …雨水流出管
２０  …異物排出管
２２  …分水槽
２６  …外槽
３０  …槽本体
３６  …処理水流出部
４０  …浮遊異物収集部
４２  …抜気部
７６  …オーバーフロー管
【図１】
2009293294.tif 000003
【図２】
2009293294.tif 000004
【図３】
2009293294.tif 000005
【図４】
2009293294.tif 000006
【図５】
2009293294.tif 000007
【図６】
2009293294.tif 000008
【図７】
2009293294.tif 000009
【図８】
2009293294.tif 000010
【図９】
2009293294.tif 000011
【図１０】
2009293294.tif 000012
【図１１】
2009293294.tif 000013
【図１２】
2009293294.tif 000014
【図１３】
2009293294.tif 000015
【図１４】
2009293294.tif 000016
【図１５】
2009293294.tif 000017
【図１６】
2009293294.tif 000018
【図１７】
2009293294.tif 000019
【図１８】
2009293294.tif 000020
【図１９】
2009293294.tif 000021
【図２０】
2009293294.tif 000022